(57)【要約】【課題】  記録媒体に記録する映像データの互換性は保った上で，既定のデータレートを下げることが可能な映像処理システム，映像処理装置，映像処理方法，およびコンピュータプログラムを提供する。【解決手段】  高解像度データと，その高解像度データと同一素材の映像である低解像度データに構成された１又は２以上のグループフレーム内のデータが各々圧縮され，その圧縮により該グループフレーム内の余った領域に低解像度データとは無関係なダミーデータ（５１１）が詰め込まれたダミー入り低解像度データと，が含まれる映像データを読み取るリーダ部（１１７）と；上記リーダ部により読み取られたダミー入り低解像度データのうちダミーデータを読み飛ばして，ダミーデータを除く圧縮低解像度データを転送する転送部（１１５）とを備える。【選択図】    図１０
2006287578.tif 000002
【特許請求の範囲】
【請求項１】
同一素材の映像について高解像度データと低解像度データとを作成する加工部と；
前記低解像度データに構成された１又は２以上のグループフレーム内のデータを各々圧縮し，その圧縮により該グループフレーム内の余った領域に低解像度データとは無関係なダミーデータを詰め込んで，ダミー入り低解像度データを作成する圧縮詰め込み部と；
前記高解像度データと前記ダミー入り低解像度データとを読み取るリーダ部と；
前記リーダ部により読み取られた前記ダミー入り低解像度データのうち前記ダミーデータを読み飛ばし，前記ダミー入り低解像度データのうちダミーデータを除く圧縮低解像度データを転送する転送部と；
を備えることを特徴とする，映像処理システム。
【請求項２】
高解像度データと，該高解像度データと同一素材の映像である低解像度データに構成された１又は２以上のグループフレーム内のデータが各々圧縮され，その圧縮により該グループフレーム内の余った領域に低解像度データとは無関係なダミーデータが詰め込まれたダミー入り低解像度データと，が含まれる映像データを読み取るリーダ部と；
前記リーダ部により読み取られた前記ダミー入り低解像度データのうち前記ダミーデータを読み飛ばし，前記ダミー入り低解像度データのうちダミーデータを除く圧縮低解像度データを転送する転送部と；
を備えることを特徴とする，映像処理装置。
【請求項３】
前記リーダ部は，記録媒体に記録された前記映像データを読み取ることを特徴とする，請求項２に記載の映像処理装置。
【請求項４】
前記転送部は，ネットワークを介して外部装置に対して前記圧縮低解像度データを転送することを特徴とする，請求項２に記載の映像処理装置。
【請求項５】
前記映像処理装置は，前記高解像度データ，前記ダミー入り低解像度データ，または前記圧縮低解像度データのうち少なくとも一つのデータをデコードするデコード部をさらに備えることを特徴とする，請求項２に記載の映像処理装置。
【請求項６】
前記映像処理装置は，前記デコード部によりデコードされたデータを出力する出力部をさらに備えることを特徴とする，請求項５に記載の映像処理装置。
【請求項７】
前記デコード部は，外部装置に備わる転送部からネットワークを介して転送されてくる前記圧縮低解像度データをデコードすることを特徴とする，請求項２に記載の映像処理装置。
【請求項８】
前記グループフレームは，１又は２以上のフレームから構成されることを特徴とする，請求項２に記載の映像処理装置。
【請求項９】
同一素材の映像である高解像度データと低解像度データとを作成する加工部と；
前記低解像度データに構成された１又は２以上のグループフレーム内のデータを各々圧縮し，その圧縮により該グループフレーム内の余った領域に低解像度データとは無関係なダミーデータを詰め込んで，ダミー入り低解像度データを作成する圧縮詰め込み部と；
前記圧縮詰め込み部による圧縮で得られた圧縮低解像度データを転送する転送部とを備えることを特徴とする，映像処理装置。
【請求項１０】
前記映像処理装置は，前記高解像度データと前記ダミー入り低解像度データとを含む映像データを記録媒体に書き込む記録部をさらに備えることを特徴とする，請求項９に記載の映像処理装置。
【請求項１１】
前記転送部は，ネットワークを介して外部装置に対して前記圧縮低解像度データを転送することを特徴とする，請求項９に記載の映像処理装置。
【請求項１２】
前記グループフレームは，１又は２以上のフレームから構成されることを特徴とする，請求項９に記載の映像処理装置。
【請求項１３】
前記映像処理装置は，データを記憶可能な記憶装置をさらに備え，
前記記憶装置は，前記ダミーデータを前記グループフレーム内の余った領域に詰め込むことを特徴とする，請求項９に記載の映像処理装置。
【請求項１４】
高解像度データと，該高解像度データと同一素材の映像である低解像度データに構成された１又は２以上のグループフレーム内のデータが各々圧縮され，その圧縮により該グループフレーム内の余った領域に低解像度データとは無関係なダミーデータが詰め込まれたダミー入り低解像度データと，が含まれる映像データを読み取る工程と；
前記映像データを読み取る工程で読み取られた前記ダミー入り低解像度データのうち前記ダミーデータを読み飛ばして，前記ダミー入り低解像度データのうちダミーデータを除いた圧縮低解像度データを転送する工程とを含むことを特徴とする，映像処理方法。
【請求項１５】
同一素材の映像について高解像度データと低解像度データとを作成する工程と；
前記低解像度データに構成された１又は２以上のグループフレーム内のデータを各々圧縮し，その圧縮により該グループフレーム内の余った領域に低解像度データとは無関係なダミーデータを詰め込んで，ダミー入り低解像度データを作成する工程と；
前記ダミー入り低解像度データを作成する工程で前記圧縮により得られた圧縮低解像度データを転送する工程とを含むことを特徴とする，映像処理方法。
【請求項１６】
コンピュータに映像処理装置として機能させるコンピュータプログラムであって：
高解像度データと，該高解像度データと同一素材の映像である低解像度データに構成された１又は２以上のグループフレーム内のデータが各々圧縮され，その圧縮により該グループフレーム内の余った領域に低解像度データとは無関係なダミーデータが詰め込まれたダミー入り低解像度データと，が含まれる映像データを読み取る手段と；
前記映像データを読み取る手段で読み取られた前記ダミー入り低解像度データのうち前記ダミーデータを読み飛ばし，前記ダミー入り低解像度データのうちダミーデータを除く圧縮低解像度データを転送する転送手段と；
を備えることを特徴とする，コンピュータプログラム。
【請求項１７】
コンピュータに映像処理装置として機能させるコンピュータプログラムであって：
同一素材の映像について高解像度データと低解像度データとを作成する加工手段と；
前記低解像度データに構成された１又は２以上のグループフレーム内のデータを各々圧縮し，その圧縮により該グループフレーム内の余った領域に低解像度データとは無関係なダミーデータを詰め込んで，ダミー入り低解像度データを作成する圧縮詰め込み手段と；
前記圧縮詰め込み部による圧縮で得られた圧縮低解像度データを転送する転送手段とを備えることを特徴とする，コンピュータプログラム。
【発明の詳細な説明】
【技術分野】
【０００１】
本発明は，映像処理システム，映像処理装置，映像処理方法，およびコンピュータプログラムに関する。
【背景技術】
【０００２】
現在では，情報技術の発達に伴い，ビデオカメラ等の撮像装置を用いて撮影した映像データはディジタル化され，光ディスク，磁気ディスク，半導体メモリなどのランダムアクセス可能な記録媒体に記録されるのが一般的になりつつある（例えば，特許文献１参照）。
【０００３】
放送業界においても，取材先の現場で撮影した高解像度の映像データをランダムアクセス可能な記録媒体に記録し，編集処理装置等を用いてその記録された複数の高解像度の映像データを放送番組用の映像データに編集し，放送する場合が多くなってきている。
【０００４】
一方で，報道番組など放送番組にリアルタイム性等が求められる理由で，編集効率を向上させ，短時間で取材後の映像データを，いわゆる完パケなど本番用の映像データに編集するため，光ディスク等の記録媒体に高解像度の映像データとともに，同一内容であって，その映像データよりも低解像度の映像データを記録することが可能なシステムが開発されている。
【０００５】
高解像度と低解像度の２種類の映像データを撮影時に記録することが可能となれば，撮影した後，低解像度の映像データを無線又は有線のネットワークで編集処理装置に送信すし，高解像度の映像データが届くまでに本編集までの編集処理（オフライン編集など）を完了することができ，撮影現場がたとえ遠隔地であっても編集効率を大幅に向上することが期待できる。
【０００６】
【特許文献１】特開２００３−２８４００５号公報
【発明の開示】
【発明が解決しようとする課題】
【０００７】
しかしながら，インターネット等のネットワークで映像データを転送する場合，低解像度といえども動画像であるため比較的データ量が多く，またネットワークの通信回線状況によっては，転送時間に多大な時間を要する場合が少なくない。
【０００８】
したがって，転送時間を短縮し，ネットワークに対する負荷を軽減するために，映像データのデータレートをさらに下げるという要求が高まっているが，映像データのデータレートは，フォーマットで規定されているため，単純にデータレートを下げても記録媒体に記録された映像データについて互換性を保つことができず，映像データを通常再生又は高速再生等することができなくなるおそれがある。
【０００９】
また，記録媒体に記録される映像データについてはデータレートを下げずに，記録媒体から映像データを読み出した際に，データレートを下げて，その映像データを再度エンコードし，圧縮する方法もあるが，再度エンコード処理する必要があるため，確かにネットワークに対する負荷が軽減されるが，転送時間を短縮することができない。
【００１０】
本発明は，上記問題点に鑑みてなされたものであり，本発明の目的は，記録媒体に記録する映像データの互換性は保った上で，既定のデータレートを下げることが可能な，新規かつ改良された映像処理システム，映像処理装置，映像処理方法，およびコンピュータプログラムを提供することである。
【課題を解決するための手段】
【００１１】
上記課題を解決するため，本発明の第１の観点によれば，同一素材の映像について高解像度データと低解像度データとを作成する加工部と；低解像度データに構成された１又は２以上のグループフレーム内のデータを各々圧縮し，その圧縮により該グループフレーム内の余った領域に低解像度データとは無関係なダミーデータを詰め込んで，ダミー入り低解像度データを作成する圧縮詰め込み部と；高解像度データとダミー入り低解像度データとを読み取るリーダ部と；上記リーダ部により読み取られたダミー入り低解像度データのうちダミーデータを読み飛ばし，ダミー入り低解像度データのうちダミーデータを除く圧縮低解像度データを転送する転送部とを備えることを特徴とした映像処理システムが提供される。
【００１２】
本発明によれば，同一コンテンツ又は素材である映像において高解像度データと低解像度データと２種類の映像データを作成し，そのうち低解像度データに構成されるグループフレームを圧縮することによって余った領域にダミーデータを詰め込んでダミー入り低解像度データを作成するとともに，ダミー入り低解像度データを読み取る処理でダミーデータを除いた圧縮低解像度データを転送している。かかる構成により，ダミー入り低解像度データと低解像度データとはデータレート値が異なるだけで，その他のデータサイズ等のフォーマットは同一であって互換性は維持している。つまり，低解像度データのデータレート値を下げることができる。また，ダミー入り低解像度データのうちダミーデータを除いた圧縮低解像度データを転送することができるため，転送処理にかかる負荷を軽減することができる。
【００１３】
上記課題を解決するために，本発明の別の観点によれば，高解像度データと，該高解像度データと同一素材の映像である低解像度データに構成された１又は２以上のグループフレーム内のデータが各々圧縮され，その圧縮により該グループフレーム内の余った領域に低解像度データとは無関係なダミーデータが詰め込まれたダミー入り低解像度データと，が含まれる映像データを読み取るリーダ部と；当該リーダ部により読み取られた上記ダミー入り低解像度データのうちダミーデータを読み飛ばし，上記ダミー入り低解像度データのうちダミーデータを除いた圧縮低解像度データを転送する転送部とを備えることを特徴とした映像処理装置が提供される。
【００１４】
本発明によれば，低解像度データに構成されるグループフレームを圧縮することによって余った領域にダミーデータを詰め込んで作成されたダミー入り低解像度データを読み取り，そのダミー入り低解像度データのうちダミーデータを除いた圧縮低解像度データを転送する。かかる構成により，ダミー入り低解像度データと低解像度データとはデータレート値が異なるだけで，その他のデータサイズ等のフォーマットは同一であって互換性は維持し，低解像度データを読み取るのと何ら変わらずダミー入り低解像度データを読み取れる。低解像度データのデータレート値を下げることができる。また，ダミー入り低解像度データのうちダミーデータを除いた圧縮低解像度データを転送することができるため，転送処理にかかる負荷を軽減することができる。
【００１５】
上記転送部は，ネットワークを介して外部の装置に対して圧縮低解像度データを転送するように構成してもよい。かかる構成により，低解像度データを転送するよりもデータ量が少ないため，ネットワークに対する負荷を軽減することができ，転送処理の負荷も軽減することができる。
【００１６】
上記映像処理装置は，高解像度データ，ダミー入り低解像度データ，または圧縮低解像度データのうち少なくとも一つのデータをデコードするデコード部をさらに備えるように構成してもよい。かかる構成により，低解像度データをデコードするのとほぼ同様な処理内容でダミー入り低解像度データをデコードすることができる。なお，高解像度データ，ダミー入り低解像度データ，または圧縮低解像度データを順々にデコードする場合でもよく，並行して処理をする場合でもよい。
【００１７】
上記デコード部は，外部の装置に備わる転送部からネットワークを介して転送されてくる圧縮低解像度データをデコードするように構成してもよい。かかる構成により，低解像度データよりもデータ量が少ない圧縮低解像度データをデコードすることができるため，デコード処理の負荷が軽減される。
【００１８】
上記映像処理装置は，デコード部によりデコードされたデータを出力する出力部をさらに備えるようにしてもよい。かかる構成により，低解像度データの再生とほぼ同様にダミー入り低解像度データを再生することができる。ダミー入り低解像度データの再生は，低解像度データの再生と互換性を保つことができる。なお，出力部は，例えば，ディスプレイ装置等を例示することができる。
【００１９】
上記リーダ部は，記録媒体に記録された映像データを読み取るように構成してもよく，上記リーダ部が前記映像データを読み取る速度は，変速可能であるように構成してもよい。
【００２０】
上記デコード部は，上記ダミー入り低解像度データのうちダミーデータを無視してデコードするように構成してもよい。
【００２１】
上記デコード部又は出力部は，ユーザから受付けたモードに応じて，処理を施す対象のデータを切替えるように構成してもよい。例えば，ユーザから高速再生（又は，高速検索など）のモードを受付けると，出力部には，低解像度データ又はダミー入り低解像度データが出力される等を例示することができる。かかる構成により，ユーザからのニーズに柔軟に対応することができる。
【００２２】
上記グループフレームは，１又は２以上のフレームから構成されるようにしてもよく，上記ダミーデータは，１又は２種以上のコードが複数個含まれているように構成してもよい。
【００２３】
上記課題を解決するために，本発明の別の観点によれば，同一素材の映像である高解像度データと低解像度データとを作成する加工部と；低解像度データに構成された１又は２以上のグループフレーム内のデータを各々圧縮し，その圧縮により該グループフレーム内の余った領域に低解像度データとは無関係なダミーデータを詰め込んで，ダミー入り低解像度データを作成する圧縮詰め込み部と；上記圧縮詰め込み部による圧縮で得られた圧縮低解像度データを転送する転送部とを備えることを特徴とした映像処理装置が提供される。
【００２４】
本発明によれば，同一コンテンツ又は素材である映像において高解像度データと低解像度データと２種類の映像データを作成し，そのうち低解像度データに構成されるグループフレームを圧縮することによって余った領域にダミーデータを詰め込んでダミー入り低解像度データを作成するとともに，上記圧縮低解像度データを転送している。かかる構成によれば，ダミー入り低解像度データと低解像度データとはデータレート値が異なるだけで，その他のデータサイズ等のフォーマットは同一であって互換性は維持している。つまり，低解像度データのデータレート値を下げることができる。また，低解像度データが圧縮された圧縮低解像度データを転送することができるため，転送処理にかかる負荷を軽減することができる。
【００２５】
上記映像処理装置は，高解像度データとダミー入り低解像度データとを含む映像データを記録媒体に書き込む記録部をさらに備えるように構成してもよい。かかる構成により，低解像度データと互換性を維持しているダミー入り低解像度データを記録媒体に記録することができる。
【００２６】
上記転送部は，ネットワークを介して外部の装置に対して圧縮低解像度データを転送するように構成してもよい。かかる構成により，低解像度データを転送するよりもデータ量が少ないため，ネットワークに対する負荷を軽減することができ，転送処理の負荷も軽減することができる。
【００２７】
上記映像処理装置は，データを記憶可能な記憶装置をさらに備え，当該記憶装置は，ダミーデータをグループフレーム内の余った領域に詰め込むように構成してもよい。なお，記憶装置はダミーデータを新規に生成して詰め込んでもよく，又は，記憶装置は詰め込む前に予めダミーデータを記憶領域内の所定領域に生成しておき，その所定領域に圧縮された低解像度データに構成されるグループフレームを上書きするように配置することで詰め込んでも良い。
【００２８】
上記圧縮詰め込み部は，ユーザから受付けた度合いに応じて，圧縮する度合いを決定するようにしてもよい。例えば，ユーザから４分の１等の度合いを受付けると，圧縮詰め込み部は，低解像度データを４分の１に圧縮し，その圧縮により余った領域にダミーデータを詰め込む等を例示することができる。かかる構成により，ユーザからのニーズに柔軟に対応することができる。
【００２９】
上記課題を解決するために，本発明の別の観点によれば，高解像度データと，該高解像度データと同一素材の映像である低解像度データに構成された１又は２以上のグループフレーム内のデータが各々圧縮され，その圧縮により該グループフレーム内の余った領域に低解像度データとは無関係なダミーデータが詰め込まれたダミー入り低解像度データと，が含まれる映像データを読み取る工程と；上記映像データを読み取る工程で読み取られたダミー入り低解像度データのうちダミーデータを読み飛ばして，ダミー入り低解像度データのうちダミーデータを除いた圧縮低解像度データを転送する工程とを含むことを特徴とした映像処理方法が提供される。
【００３０】
上記課題を解決するために，本発明の別の観点によれば，同一素材の映像について高解像度データと低解像度データとを作成する工程と；上記低解像度データに構成された１又は２以上のグループフレーム内のデータを各々圧縮し，その圧縮により該グループフレーム内の余った領域に低解像度データとは無関係なダミーデータを詰め込んで，ダミー入り低解像度データを作成する工程と；上記ダミー入り低解像度データを作成する工程で圧縮により得られた圧縮低解像度データを転送する工程とを含むことを特徴とした映像処理方法が提供される。
【００３１】
上記課題を解決するために，本発明の別の観点によれば，コンピュータに映像処理装置として機能させるコンピュータプログラムが提供される。そのコンピュータプログラムは，高解像度データと，該高解像度データと同一素材の映像である低解像度データに構成された１又は２以上のグループフレーム内のデータが各々圧縮され，その圧縮により該グループフレーム内の余った領域に低解像度データとは無関係なダミーデータが詰め込まれたダミー入り低解像度データと，が含まれる映像データを読み取る手段と；上記映像データを読み取る手段で読み取られたダミー入り低解像度データのうちダミーデータを読み飛ばし，ダミー入り低解像度データのうちダミーデータを除く圧縮低解像度データを転送する転送手段とを備えることを特徴としている。
【００３２】
上記課題を解決するために，本発明の別の観点によれば，コンピュータに映像処理装置として機能させるコンピュータプログラムが提供される。そのコンピュータプログラムは，同一素材の映像について高解像度データと低解像度データとを作成する加工手段と；上記低解像度データに構成された１又は２以上のグループフレーム内のデータを各々圧縮し，その圧縮により該グループフレーム内の余った領域に低解像度データとは無関係なダミーデータを詰め込んで，ダミー入り低解像度データを作成する圧縮詰め込み手段と；当該圧縮詰め込み部による圧縮で得られた圧縮低解像度データを転送する転送手段とを備えることを特徴としている。
【発明の効果】
【００３３】
以上説明したように，本発明によれば，記録媒体に記録する映像データの互換性を保ちつつ，既定のデータレートを自由に下げることによって，ネットワークに対する負荷や，転送処理に対する負荷を軽減することができる。
【発明を実施するための最良の形態】
【００３４】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００３５】
（映像処理システムについて）
まず，図１を参照しながら，本実施の形態にかかる映像処理システム１００について説明する。なお，図１は，本実施の形態にかかる映像処理システムの概略的な構成の一例を示す説明図である。
【００３６】
図１に示すように，映像処理システム１００には，第１の映像処理装置（記録装置）１０１と，第２の映像処理装置（再生装置）１０２と，第３の映像処理装置（記録再生装置）１０３とがネットワーク１０５に接続されている。
【００３７】
なお，本実施の形態にかかる映像処理システム１００には，記録装置１０１，再生装置１０２，および記録再生装置１０３が１又は２台以上備わる場合でも実施可能である。また，映像処理システム１００は，記録装置１０１，再生装置１０２，記録再生装置１０３，または情報処理装置１０４のうち少なくとも二台がネットワーク１０５を介在して備われば，かかる例に限定されない。
【００３８】
記録装置１０１は，外部信号源１０６ａから入力された入力画像データを記録媒体１３１に記録する（書き込む）際に，高解像度の映像データ（以下，高解像度データ）と，当該高解像度データと同一内容（又は，同一素材）であって，そのデータレートよりも低い低解像度の映像データ（以下，低解像度データ）を同時に一つの記録媒体１３１に記録することが可能な装置である。なお，高解像度データと低解像度データとのタイムコード（ＴＣ）は同期しているといえる。
【００３９】
なお上記外部信号源１０６は，例えば，ＣＣＤ等を有する撮像装置などを例示することができるが，かかる例に限定されない。また，上記記録装置１０１が外部信号源１０６を一体的に備える場合であっても実施可能である。上記の場合，記録装置１０１は，いわゆる撮像・記録可能なカムコーダといえる。
【００４０】
なお，本実施の形態にかかる記録装置１０１は，上記低解像度データをさらに加工したダミー入り低解像度データを高解像度データとともに記録媒体１３１に記録可能な点が特徴である。ダミー入り低解像度データは，上記低解像度データのデータレートよりもさら低く，その低解像度データと互換性がある映像データであるが，詳細は後述する。
【００４１】
また，本実施の形態にかかる記録装置１０１は，低解像度データのデータレート（又は，ビットレート）よりもさらに低いレートで符号化（圧縮）された圧縮低解像度データを，ネットワーク１０５を介して外部の装置に転送する場合でも実施可能である。なお，圧縮低解像度データについては後程詳述する。
【００４２】
上記再生装置１０２は，図１に示すように，映像を出力可能なディスプレイ装置２０４が接続されている。再生装置１０２は，記録媒体１３１に記録された映像データを再生し，ディスプレイ装置２０４に表示することができる。
【００４３】
ディスプレイ装置２０４は，ビデオ出力端子２００から伝送されてくる出力映像データを画面，スピーカーに出力する。ディスプレイ装置２０４は，例えば，ＴＶ装置又は液晶ディスプレイ装置などを例示することができ，静止画像，動画像，もしくは音声又はそれらの任意の組合せなどを出力することが可能である。
【００４４】
再生装置１０２が映像データを再生する際，再生速度が等倍速では高解像度データをディスプレイ装置２０４に出力し，例えば３０倍速などの高速再生では，低解像度データをディスプレイ装置２０４に出力する。
【００４５】
なお，本実施の形態にかかる再生装置１０２は，記録媒体１３１に記録された映像データを再生する場合に限定されず，例えば，ネットワーク１０５を介して他の装置から送信されてくる映像データをディスプレイ装置２０４に出力する場合でも実施可能である。
【００４６】
また，上記再生装置１０２は，特に，記録媒体１３１に記録された映像データに含まれるダミー入り低解像度データを，上記低解像度データを再生する場合と同様に，ディスプレイ装置２０４に出力することが可能である点が特徴である。
【００４７】
さらに，上記再生装置１０２は，再生処理において，上記ダミー入り低解像度データを記録媒体１３１から読み取ると，低解像度データよりもデータレートが低い圧縮低解像度データだけをネットワーク１０５を介して外部の装置に転送することができる点も特徴である。
【００４８】
上記記録再生装置１０３は，上記説明した記録装置１０１と再生装置１０２とが一体化した装置である。したがって，入力されてくる映像データを記録媒体１３１に記録し，又は，記録媒体１３１に記録された映像データを再生し，ディスプレイ装置２０４に表示することが可能である。
【００４９】
また，記録再生装置１０３は，上記外部信号源１０６をさらに備えることで，記録再生装置１０３は，撮像可能であって，撮像した映像データを記録媒体１３１に記録し，記録媒体１３１に記録された映像データを再生可能な一体型カムコーダ装置などの場合でもよい。
【００５０】
情報処理装置１０４は，ネットワーク１０５を介して送信されてくる圧縮低解像度データ等の映像データを再生するためのデコーダや，映像を表示可能なディスプレイ装置，データを格納等することが可能な記憶手段（フラッシュメモリ，ハードディスクドライブなど）を備えている。
【００５１】
かかる情報処理装置１０４は，例えば，ＰＣ（パーソナルコンピュータ），ＰＤＡ（Ｐｅｒｓｏｎａｌ  Ｄｉｇｉｔａｌ  Ａｓｓｉｓｔａｎｔ），携帯電話，または携帯メディアプレイヤーなどを例示することができる。
【００５２】
記録媒体１３１は，映像データ等のデータを少なくとも記録可能な光ディスク（例えば，Ｂｌｕ−ｒａｙＤｉｓｃなど），ＤＶＤ，磁気ディスク，さらにはＨＤＤ（ハードディスクドライブ）等を例示することができるが，かかる例に限定されない。
【００５３】
ネットワーク１０５は，映像データ等の種々のデータを装置から装置に伝送することが可能なものである。また，ネットワーク１０５は，ピアツーピアに接続するケーブルや，ＡＤＳＬ（Ａｓｙｍｍｅｔｒｉｃ  Ｄｉｇｉｔａｌ  Ｓｕｂｓｃｒｉｂｅｒ  Ｌｉｎｅ）またはＦＴＴＨ（Ｆｉｂｅｒ  Ｔｏ  Ｔｈｅ  Ｈｏｍｅ）などそれに類する方法で接続するインターネットなどの公衆回線網でもよく，さらに有線／無線を問わず衛星通信網なども含まれる。
【００５４】
また，本実施の形態にかかる映像データには，画像（ビデオ）データ，音声（オーディオ）データが含まれている。なお，特段の記載が無い場合，映像データは如何なる解像度のものでもよく，映像データには，上記画像データまたは音声データのうち少なくとも一方が含まれているものとする。
【００５５】
（記録装置について）
次に，図２を参照しながら，本実施の形態にかかる記録装置１０１について説明する。なお，図２は，本実施の形態にかかる記録装置１０１の概略的な構成の一例を示すブロック図である。
【００５６】
上記記録装置１０１は，装置に入力されてくるビデオ信号（入力画像データ）を基にして，高解像度データと，当該高解像度データと同一内容（素材）の低解像度データとを作成し，記録媒体１３１に上記高解像度データと低解像度データを記録することが可能な装置である。
【００５７】
図２に示すように，記録装置１０１は，外部信号源１０６から映像のうち画像部分に相当するビデオ信号（入力画像データ）の入力を受けるビデオ入力端子１１１と，入力画像デコード部１１２と，高解像度圧縮部１３０と，低解像度圧縮部１４１と，記憶装置１１５と，記録部１１６と，高解像度音声信号プロセッサ１８１と，低解像度音声信号圧縮部１９１と，記憶装置１１５から圧縮低解像度データをネットワーク１０５を介して外部に転送するデータ出力端子２１１と，コントロール部２０３と，外部信号源１０６から音声信号（入力音声データ）の入力を受ける音声信号入力部２０１と，入力部２０５とを備えている。なお，記録装置１０１は，データ出力端子２１１を，複数備える場合でも実施可能である。
【００５８】
上記入力画像デコード部１１２は，外部信号源１０６から入力を受けたビデオ信号を記録媒体１３１に記録するための所定フォーマットからなる画像データに変換し，高解像度圧縮部１３０と低解像度圧縮部１４１とに各々供給する。
【００５９】
高解像度圧縮部１３０は，入力画像デコード部１１２から画像データを受けると，コントロール部２０３から指示を受けたデータレート（ビットレート）に従って，例えば，ＭＰＥＧ２等の形式で圧縮等し，ストリームとしての高解像度画像データを出力する。高解像度画像データは，例えば，データレートが３０Ｍｂｐｓ〜５０Ｍｂｐｓと高解像度の画像データである。
【００６０】
上記低解像度圧縮部１４１は，上記入力画像デコード部１１２からの画像データを，コントロール部２０３から指示を受けたデータレート（ビットレート）に従って，例えばＭＰＥＧ４の形式で圧縮等し，ストリームとしての低解像度画像データを出力する。低解像度画像データは，例えば，データレートが１．５Ｍｂｐｓと，低解像度の画像データである。
【００６１】
また，上記低解像度圧縮部１４１は，上記低解像度画像データの他にも，低解像度画像データのデータレートよりもさらに低いデータレートで符号化した圧縮低解像度画像データを出力することもできる。
【００６２】
上記高解像度圧縮部１３０及び低解像度圧縮部１４１から出力される高解像度画像データと低解像度画像データは，記憶装置１１５に一旦記憶される。
【００６３】
記憶装置１１５は，高解像度圧縮部１３０又は低解像度圧縮部１４１から出力されたデータを一時記憶又は保持することができる。なお，本実施の形態にかかる記憶装置１１５は，例えば，ＳＤＲＡＭ，ＤＲＡＭ等のメモリを例示することができるが，かかる例に限定されない。
【００６４】
なお，低解像度データ又は圧縮低解像度データ等の映像データは，高速に所望のフレームの画像をサーチする高速画像サーチや，サムネイル表示，オフライン編集等に用いられる。また，低解像度データ又は圧縮低解像度データは，高解像度データよりもデータレート値が低く，データ量が小さいため，インターネット等のネットワーク１０５を介してデータを効率良く転送することができる。
【００６５】
なお，本実施形態では，フレーム（枠）は映像データを構成する最小単位の画像（ピクチャ）又は音声の一コマを単位とするフレーム（又は，フィールド）を示すものとするが，かかる例に限定されず，例えば，フレームは，上記画像又は音声を複数フレーム連続して構成されるグループフレーム（ＧＯＰなど）及び／又はそのＧＯＰ内の映像（映像データ）を示す場合等でも実施可能である。
【００６６】
上記説明の通り，高解像度データと低解像度データは，入力画像デコード部１１２から同時に同じ記録用のビデオ信号１２１から生成されており，データレートは異なるが同じ情報（コンテンツ）を持つビデオストリームである。
【００６７】
音声信号（又は，音声データ）も同様に，外部信号源１０６から音声信号入力部２０１が音声データの入力を受けると，高解像度音声信号プロセッサ１８１と低解像度音声信号圧縮部１９１に入力音声データを出力する。
【００６８】
高解像度音声信号プロセッサ１８１は，上記入力音声データを比較的大きいデータレートでエンコードして，高解像度の音声データ（高解像度音声データ）を出力する。また，低解像度音声信号圧縮部１９１は，上記入力音声データを比較的小さいデータレートでエンコードして，低解像度の音声データ（低解像度音声データ）を出力する。
【００６９】
上記高解像度音声信号プロセッサ１８１及び低解像度音声信号圧縮部１９１から出力される高解像度音声データと低解像度音声データは，記憶装置１１５に一旦格納される。
【００７０】
記憶装置１１５では，入力の各ストリーム，高解像度画像データと，低解像度画像データ及び／又は圧縮低解像度画像データと，高解像度音声データと，低解像度音声データとが記録媒体１３１に書き込む（記録する）順番にデータが並べられ，それらは記録用の映像データとして記録部１１６に送信される。なお，記録用の映像データには，例えば，高解像度データの複数秒分（２秒分など）のデータと同じ内容の低解像度データ複数秒分が交互に並んでいるが，かかる例に限定されない。
【００７１】
また，記憶装置１１５に一旦記憶された圧縮低解像度データは，記録部１１６に送信される際，または記録部１１６にて，ダミー入り圧縮低解像度データに加工されて，記録媒体１３１に記録される。なお，上記ダミー入り圧縮低解像度データについては後程詳述する。
【００７２】
なお，本実施の形態にかかる記憶装置１１５は，ＳＤＲＡＭ，ＲＡＭ，ＤＲＡＭなどのメモリであるが，データを高速に読書き可能なストレージ装置であれば，かかる例に限定されない。
【００７３】
一方で，記憶装置１１５に一旦記憶された圧縮低解像度データは，コントロール部２０３から指示があると，データ出力端子２１１を介して外部の装置に転送される。上記圧縮低解像度データの転送処理については後程説明する。
【００７４】
記録部１１６は，受信した上記記録用の映像データを記録媒体１３１に記録する。なお，本実施の形態にかかる記録媒体１３１は，ＣＤ，ＤＶＤ，またはＢｌｕ−ｒａｙＤｉｓｃ等，光ディスクの場合を例に挙げて説明するが，かかる例に限定されず，磁気ディスク等の場合でも実施可能である。
【００７５】
上記入力部２０５は，ユーザから指示を受けることが可能な１又は２以上からなるボタン，トラックボール，トラックパッド，スタイラスペン，ダイアルログ，またはジョイスティックなどのポインティングデバイスまたはキーボードなどからなるが，かかる例に限定されない。
【００７６】
コントロール部２０３は，記録装置１０１に備わる各部の処理を制御する。例えば，高解像度圧縮部１３０等の圧縮部にエンコードするデータレート（ビットレート）の値を指示したり，記憶装置１１５に映像データをデータ出力端子２１１を介して送信するように指示したりする。
【００７７】
（再生装置について）
次に，図３を参照しながら，本実施の形態にかかる再生装置１０２について説明する。なお，図３は，本実施の形態にかかる再生装置１０２の概略的な構成の一例を示すブロック図である。
【００７８】
上記再生装置１０２は，記録媒体１３１に記録されている映像データを読み取り，その映像データに含まれる高解像度データ又は低解像度データを再生し，ディスプレイ装置２０４に出力することが可能な装置である。
【００７９】
図３に示すように，再生装置１０２は，ディスプレイ装置２０４と接続し，出力用のビデオ信号（出力映像データ）を伝送するためのビデオ出力端子２００と，再生画像エンコード部１１９と，高解像度伸張部１７２と，低解像度伸張部１７３と，記憶装置１１５と，再生部１１７と，高解像度音声信号プロセッサ１８１と，低解像度音声信号伸張部１９２と，データ出力端子２１１と，コントロール部２０３と，ディスプレイ装置２０４に出力用の音声信号（出力音声データ）を伝送する音声信号出力部２０２と，入力部２０５とを備えている。なお，再生装置１０２は，データ出力端子２１１を，複数備える場合でも実施可能である。
【００８０】
再生部１１７は，記録媒体１３１に記録された映像データを読み取り，記憶装置１１５に伝送する。記憶装置１１５は，再生部１１７から再生用の映像データを受けると，記憶領域に映像データを順番に一旦格納する。なお，映像データには，交互に高解像度データと低解像度データ（又は，ダミー入り低解像度データ）とが順番に並んでいる。
【００８１】
さらに記憶装置１１５は，格納された映像データに含まれる高解像度データと低解像度データ（又は，ダミー入り低解像度データ）とを順番に次々にストリームとして，高解像度伸張部１７２と低解像度伸張部１７３とに出力する。
【００８２】
高解像度伸張部１７２は，記憶装置１１５から高解像度データのうち画像部分の高解像度画像データを受信すると，コントロール部２０３からの指示（データレート値など）を基に，例えばＭＰＥＧ２形式に係るデコード処理を施す。
【００８３】
低解像度伸張部１７３は，記憶装置１１５から低解像度データ（又は，ダミー入り低解像度データ）のうち画像部分の低解像度画像データを受信すると，コントロール部２０３からの指示（データレート値など）を基に，例えばＭＰＥＧ４形式に係るデコード処理を施す。
【００８４】
なお，本実施の形態にかかる低解像度伸張部１７３は，ダミー入り低解像度データを受信しても，低解像度データと同様な指示をコントロール部２０３から受けて，低解像度データと同様にＭＰＥＧ４形式に係るデコード処理を施すことができる点が特徴である。つまり，低解像度データをデコードする処理とダミー入り低解像度データをデコードする処理には互換性がある。ダミー入り低解像度データについては，後程詳述する。
【００８５】
高解像度伸張部１７２と低解像度伸張部１７３から出力されたデコード後の再生用の画像データは，再生画像エンコード部１１９に送信される。再生画像エンコード部１１９は，コントロール部２０３からの指示を基に，高解像度の画像データ又は低解像度の画像データを再生用のビデオ信号に変換し，ビデオ出力端子２００に出力することで，ディスプレイ装置２０４に映像を出力することができる。
【００８６】
再生画像エンコード部１１９は，再生装置１０２が通常の再生状態の場合，高解像度の映像データをビデオ出力端子２００に出力し，再生装置１０２が高速再生（高速検索）の状態の場合，低解像度の映像データ１４２をビデオ出力端子２００に出力する。
【００８７】
また，記憶装置１１５に一旦格納されたダミー入り低解像度データのうち，ダミーデータを除いた圧縮低解像度データを抽出し，データ出力端子２１１からネットワーク１０５を介して情報処理装置１０４など外部の装置に圧縮低解像度データを送信する。
【００８８】
コントロール部２０３は，再生装置１０２に備わる各部の処理を制御する。例えば，高解像度伸張部１７２，低解像度伸張部１７３等の伸張部にデコードする際のデータレート（ビットレート）の値を指示したり，記憶装置１１５に映像データをデータ出力端子２１１に出力するように指示したりする。
【００８９】
なお，本実施の形態に係る記憶装置１１５は映像データを例えばＩＰアドレス等を含むパケットデータに変換する機能を具備することで，インターネット網であるネットワーク１０５ｂ等を介して外部の情報処理装置１０４に送信することができる。
【００９０】
（記録再生装置について）
次に，図４を参照しながら，本実施の形態にかかる記録再生装置１０３について説明する。なお，図４は，本実施の形態にかかる記録再生装置の概略的な構成の一例を示すブロック図である。
【００９１】
本実施の形態にかかる記録再生装置１０３は，上記説明した記録装置１０１と再生装置１０２との機能を兼ね備えた一体型の装置である。つまり，記録再生装置１０３は，記録媒体１３１に映像データを記録する機能，記録媒体１３１に記録された映像データをディスプレイ装置２０４に出力する機能等を有する。
【００９２】
さらに，記録再生装置１０３は，記録再生機能の他に，ＣＣＤ等を有する外部信号源１０６を一体的に備えることで，撮影し，記録再生可能な一体型のカムコーダ等の場合でも実施可能である。
【００９３】
図４に示すように，記録再生装置１０３は，ビデオ入力端子１１１と，入力画像デコード部１１２と，高解像度圧縮伸張部１７５と，低解像度圧縮伸張部１７７と，記憶装置１１５と，記録再生部１１８と，高解像度音声信号プロセッサ１８１と，低解像度音声信号圧縮伸張部１９５と，データ出力端子２１１と，コントロール部２０３と，音声信号入出力部２０７と，入力部２０５とを備えている。なお，記録再生装置１０３は，データ出力端子２１１を，複数備える場合でも実施可能である。
【００９４】
上記高解像度圧縮伸張部１７５は，上記説明の高解像度圧縮部１３０と高解像度伸張部１７２の機能を兼ね備えている。したがって，高解像度圧縮伸張部１７５は，入力画像データをエンコードし，記憶装置１１５に高解像度画像データを出力する，または高解像度圧縮伸張部１７５は，記憶装置１１５に記憶された高解像度画像データの入力を受けて，デコードし，再生用の画像データを出力する。
【００９５】
低解像度圧縮伸張部１７７は，上記説明の低解像度圧縮部１４１と低解像度伸張部１７３の機能を兼ね備えている。したがって，低解像度圧縮伸張部１７７は，入力画像データをエンコードし，記憶装置１１５に低解像度画像データ（又は，圧縮低解像度画像データ）を出力する，または低解像度圧縮伸張部１７７は，記憶装置１１５に記憶された低解像度画像データの入力を受けて，デコードし，再生用の画像データを出力する。
【００９６】
記録再生部１１８は，上記説明の通り，記録媒体１３１に映像データを記録する記録部１１６の機能と，記録媒体１３１に記録された映像データを読み取る再生部１１７の機能を兼ね備えている。同様に，低解像度音声信号圧縮伸張部１９５は，低解像度音声信号圧縮部１９１と低解像度音声信号伸張部１９２の機能を兼ね備えている。音声信号入出力部２０７も，上記説明した音声信号入力部２０１と音声信号出力部２０２の機能を兼ね備えている。
【００９７】
（データ構造について）
次に，図５を参照しながら，本実施の形態にかかる記録媒体１３１に記録されるデータ構造について説明する。なお，図５は，本実施の形態にかかる記録媒体に記録されるデータ構造の概略を示す説明図である。
【００９８】
図５に示すように，記録媒体１３１には，高解像度データと低解像度データが年輪状，同心円状に書き込まれている。例えば，高解像度データとその高解像度データと同一内容の低解像度データとが交互に２秒間隔で記録媒体１３１に書き込まれるが，かかる記録フォーマットに限定されない。
【００９９】
また，記録媒体１３１の記録トラックピッチは，例えば，０．３２μｍと非常に微細であり，記録密度が高いが，あくまで一例であって，かかる例に限定されない。
【０１００】
なお，上記のように高解像度データと低解像度データとが交互に記録媒体１３１に書き込まれる理由は，高速再生（高速検索機能）を可能とするためであり，通常再生と高速再生とをスムーズに切替えるためである。
【０１０１】
通常の再生時には，記録媒体１３１から高解像度データと低解像度データの両方を読出すが，高速再生（高速検索）時には，非常に速くエンコードし映像出力するため，記録媒体１３１から高解像度データを読み飛ばし，低解像度データのみを再生する必要がある。
【０１０２】
したがって，高解像度データと低解像度データとが交互に所定時間ごとに記録媒体１３１に記録されているため，上記低解像度データのみを再生する場合に，高解像度データを効率的に読み飛ばすことができる。
【０１０３】
また，低解像度データの隣接するトラックには，その低解像度データの同一内容の高解像度データが記録されているため，例えば，高速再生から通常再生に切替える場合でも，データを読み取る読み取りヘッド（例えば，光ピックアップなど）の移動が少なく，ディスプレイ装置２０２に出力される映像をスムーズに切替えることができる。
【０１０４】
図５に示すように，低解像度データは，ヘッダ１３２と，１又は２以上のコンテナ１３３（１３３ａ，１３３ｂ，１３３ｃ，…）と，フッタ１３６とから構成されている。
【０１０５】
上記コンテナ１３３の一つ一つは，例えば２秒分の映像として構成されている，このコンテナ１３３が複数個集められて映画や，スポーツ等のワンシーンやストーリー等のように一連の映像となる。さらに，上記低解像度データは，全体としてＭＸＦ（Ｍａｔｅｒｉａｌ  ｅＸｃｈａｎｇｅ  Ｆｏｒｍａｔ）と呼ばれる，データをネットワーク１０５を介して転送するための規格を満たす構造になっている。
【０１０６】
（低解像度データについて）
次に，図６を参照しながら，本実施の形態にかかる低解像度データについて，さらに詳細に説明する。なお，図６は，本実施の形態にかかる低解像度データの概略的な構成の一例を示す説明図である。
【０１０７】
図６に示すように，低解像度データには，上記説明した通り，ヘッダ１３２と，コンテナ１３３（１３３ａ，１３３ｂ，１３３ｃ，…）と，フッタ１３６とが含まれている。
【０１０８】
上記コンテナ１３３には，システムアイテム１４１と，映像データのうち画像の部分に相当する画像アイテム１４２と，映像データのうち音声の部分に相当する音声アイテム１４３とが少なくとも含まれている。システムアイテム１４１には，タイムコード（Ｔｉｍｅ  Ｃｏｄｅ）データ等が含まれている。
【０１０９】
上記画像アイテム１４２には，６個のＧＯＰ（Ｇｒｏｕｐ  Ｏｆ  Ｐｉｃｔｕｒｅ）１４４（１４４ａ，１４４ｂ，…，１４４ｆ）が含まれている。１個のＧＯＰ１４４には，例えば，１０フレーム分の画像データが含まれている。音声アイテム１４３には，１又は２フレーム以上の音声データが含まれている。
【０１１０】
図６の場合は，低解像度データのデータレート（ビットレート）値は，２．０Ｍｂｐｓであり，そのうち画像（ビデオ）データは１．５Ｍｂｐｓ，音声（オーディオ）データは０．５Ｍｂｐｓであるが，かかる例に限定されず任意に調整可能である。なお，システムアイテム１４１のデータサイズは極小のため，ここではデータレート換算の対象外とする。
【０１１１】
したがって，上記コンテナ１３３には２秒間分の画像データがまとめられているため，コンテナ１３３のデータ量は，２秒×１．５Ｍｂｐｓ＝３．０Ｍｂｉｔ（３８４ｋＢｙｔｅ）となる。さらに，コンテナ１３３は６個のＧＯＰから構成されるため，１個のＧＯＰのデータ量は６４ｋＢｙｔｅとなる。
【０１１２】
一方，音声アイテム１４３にも２秒間分の音声データがまとめられているため，音声アイテム１４３のデータ量も，２秒×０．５Ｍｂｐｓ＝１．０Ｍｂｉｔ（１２８ｋＢｙｔｅ）となる。
【０１１３】
なお，画像アイテム１４２は，図６に示すように，３８４ｋＢｙｔｅのデータ量を有するＭＰＥＧ４形式のストリームからなる画像データであるが，かかる例に限定されない。
【０１１４】
上記低解像度データのうち画像部分を再生する際は，６４ｋＢｙｔｅのＧＯＰ１４４単位で図２〜４に示した記憶装置１１５から低解像度伸張部１７３又は低解像度圧縮伸張部１７７に送信される。なお，音声部分の再生についても画像部分とほぼ同様であるため詳細な説明は省略する。
【０１１５】
また，低解像度データを情報処理装置１０４など外部の装置に転送する際は，図６に示す低解像度データのままデータ出力端子２１１からネットワーク１０５を介して送信される。
【０１１６】
なお，本実施形態では，フレーム（枠）は映像データを構成する最小単位の画像（ピクチャ）又は音声一コマを単位とするフレーム（又は，フィールド）を示すものとするが，かかる例に限定されず，例えば，フレームは，上記画像又は音声を複数フレーム連続して構成されるＧＯＰ（グループ・オブ・ピクチャ，グループフレーム）及び／又はそのＧＯＰ内の画像（画像データ）を示す場合等でも実施可能である。
【０１１７】
例えば，１秒間の画像データには，３個のＧＯＰが含まれ，その１個のＧＯＰには，１０枚のフレームが含まれている，つまりＧＯＰ内には１０枚の画像データが含まれていることとなる。
【０１１８】
上記説明の通り，ＧＯＰには，１又は２フレーム以上の画像データが含まれているが，さらに例えばＭＰＥＧ等のシステム固有のデータ又は予備としてのデータ等が含まれている（以下，固有データ）。つまり，ＧＯＰが圧縮されたことにより詰め込まれるダミーデータは，固有データとは異なる。
【０１１９】
また，本実施の形態にかかるフレームは，特段の記載がない場合，映像データに構成されるフレームそのもの及び／又はそのフレーム内の画像（画像データ）又は音声（音声データ）を示すものとする。
【０１２０】
（低解像度データ記録処理について）
次に，図７を参照しながら，本実施の形態にかかる低解像度データを記録する記録処理について説明する。図７は，本実施の形態にかかる低解像度データ記録処理の概略を示すフローチャートである。なお，以降では記録装置１０１の場合を例に挙げて説明するが，記録再生装置１０３の場合であっても実質的に同一の処理によって可能である。
【０１２１】
図７に示すように，まず，上記説明したように入力画像デコード部１１２から出力された画像データが低解像度圧縮部１４１に入力されると，低解像度圧縮部１４１はコントロール部２０３から，例えばデータレート値“１．５Ｍｂｐｓ”等と指示を受けて，映像データをエンコードし，低解像度画像データを出力する（Ｓ７０１）。なお，低解像度音声データも同様に出力される。
【０１２２】
次に，出力された低解像度画像データと低解像度音声データは，記憶装置１１５に送信され，一時記憶される（Ｓ７０３）。なお，記憶装置１１５に記憶される際に，記憶領域のどの位置に記憶されたかを示すため例えばＧＯＰごとにＧＯＰの始めと終わりのアドレスが割当てられる。
【０１２３】
次に，記録媒体１３１に記録する場合（Ｓ７０５），記憶装置１１５に記憶された順番に従って，記録媒体１３１に低解像度画像データと低解像度音声データを含む低解像度データを記録していく（Ｓ７０７）。なお，記録媒体１３１に記録するか否かは，ユーザが入力部２０５を操作することで決定され，その指示はコントロール部２０３から記憶装置１１５に指示される。
【０１２４】
一方，記録媒体１３１に記録しない場合（Ｓ７０５），記憶装置１１５は，データ出力端子２１１からネットワーク１０５を介して，情報処理装置１０４など外部の装置に低解像度データを転送する（Ｓ７０９）。以上で，一連の低解像度データを記録する処理が終了する。
【０１２５】
なお，本実施の形態にかかる低解像度データ記録処理では，記録媒体１３１に記録する（Ｓ７０７）又は外部の装置に転送する（Ｓ７０９）のどちらか一方である場合を例に挙げて説明したが，かかる例に限定されず，例えば，低解像度データ記録処理では，記録処理と転送処理とを並行して行う場合，または記録処理終了後に転送処理を行う場合等でも実施可能である。
【０１２６】
なお，本実施の形態にかかる低解像度データを再生する再生処理は，上記説明した低解像度データ記録処理の逆の順序で処理が行われるため，詳細な説明は省略し，簡単に説明する。
【０１２７】
上記低解像度データのうち画像部分を再生する際は，図６に示すように，６４ｋＢｙｔｅのＧＯＰ１４４単位で図２〜４に示した記憶装置１１５から低解像度伸張部１７３又は低解像度圧縮伸張部１７７に送信される。以降は，図３等に示すようにビデオ出力端子２００からは出力映像データが出力され，音声出力端子からは出力音声データが出力される。
【０１２８】
（ダミー入り低解像度データについて）
図８を参照しながら，本実施の形態にかかるダミー入り低解像度データについて詳細に説明する。なお，図８は，本実施の形態にかかるダミー入り低解像度データの概略的な構成を示す説明図である。
【０１２９】
また，図８に示すダミー入り低解像度データは，画像データのデータレート値が，低解像度データのデータレート値の１／２の場合を例に挙げて説明するが，かかる例に限定されず，ダミー入り低解像度データのデータレート値は低解像度データのデータレート値よりも低ければいかなる値の場合でも実施可能である。
【０１３０】
図８に示すように，ダミー入り低解像度データと，図６を参照しながら説明した低解像度データと比較すると，ダミー入り低解像度データは，低解像度データに含まれるＧＯＰ１４４の代わりにダミー付きＧＯＰ１５１（１５１ａ，１５１ｂ，…，１５１ｆ）を含んでいる点で異なる。
【０１３１】
上記ダミー付きＧＯＰ１５１は，圧縮ＧＯＰ５１１と，ダミーデータ５１２とから少なくとも構成されている。上記ＧＯＰ１４４のデータレート値と比べて圧縮ＧＯＰ５１１のデータレート値は半分である点を除けば，圧縮ＧＯＰ５１１とＧＯＰ１４４とは実質的に同一である。
【０１３２】
上記圧縮ＧＯＰ５１１のデータ量は，ＧＯＰ１４４のデータ量の半分であるため，３２ｋＢｙｔｅとなる。また，ダミーデータ５１２は，１６進表示で“７Ｆ”のバイト列が複数個並べられた６４ｋＢｙｔｅの残り半分に相当する３２ｋＢｙｔｅ分の詰め物データである。
【０１３３】
なお，上記“７Ｆ”からなるダミーデータ５１２は，映像データには無関係なデータであって，エンコード／デコード等の映像データを記録，再生するにあたって何ら支障をきたさないデータである。したがって，かかる“７Ｆ”に限定されず，ダミーデータ５１２は，上記要件を満たすバイト列であればいかなるものであっても実施可能である。
【０１３４】
さらに，圧縮ＧＯＰ５１１とダミーデータ５１２とを合わせたダミー付きＧＯＰ１５１のデータ量は，既に説明したＧＯＰ１４４のデータ量（６４ｋＢｙｔｅ）と同じサイズになる。つまり，圧縮ＧＯＰ５１１はＧＯＰ１４４のデータ量の半分であるが，ＧＯＰ１４４と同じく１０フレーム存在し，さらにダミー付きＧＯＰ１５１とＧＯＰ１４４のデータ量が同じであるため，ダミー付きＧＯＰ１５１とＧＯＰ１４４とは記録／再生等に関し互換性を有している。
【０１３５】
なお，ダミー付きＧＯＰ１５１を有するダミー入り低解像度データの作成方法については後程説明するが，ここで簡単に説明すると，ＧＯＰ１４４のデータレート値の半分のデータレート値を低解像度圧縮部１４１又は低解像度圧縮伸張部１７７に指示して３２ｋＢｙｔｅの圧縮ＧＯＰ５１１を有する圧縮低解像度データにエンコードした後，コントローラ部２０３の指示で記憶装置１１５にて圧縮ＧＯＰ５１１に３２ｋＢｙｔｅのダミーデータが付与され，ダミー付きＧＯＰ１５１が作成され，ダミー入り低解像度データとなる。
【０１３６】
なお，圧縮ＧＯＰ５１１のデータ量はＧＯＰ１４４のデータ量の１／２しかないため，ダミー入り低解像度データの画像の再現性は劣るが（画質は劣るが），ＧＯＰ１４４と同じく１０フレーム分の画像データを有しているため，何ら問題なく何ら新規に機能を追加することなくＧＯＰ１４４を有する低解像度データを再生／記録する処理と同様な処理でダミー入り低解像度データを記録／再生することができる。
【０１３７】
（ダミー入り低解像度データ記録処理について）
次に，図８及び図９を参照しながら，本実施の形態にかかるダミー入り低解像度データを記録する記録処理について説明する。図９は，本実施の形態にかかるダミー入り低解像度データ記録処理の概略を示すフローチャートである。なお，以降では記録装置１０１の場合を例に挙げて説明するが，記録再生装置１０３の場合であっても実質的に同様な処理によって可能である。
【０１３８】
まず，図８で説明したように入力画像デコード部１１２から出力された画像データが低解像度圧縮部１４１に入力されると，低解像度圧縮部１４１はコントロール部２０３から例えばデータレート値“０．７５Ｍｂｐｓ”等と指示を受けて，画像データをエンコードし，圧縮低解像度データの画像部分である圧縮低解像度画像データを出力する（Ｓ９０１）。なお，上記説明した通り，圧縮低解像度データに含まれる圧縮ＧＯＰ５１１のデータサイズは，ＧＯＰ１４４の半分である。
【０１３９】
次に，出力された圧縮低解像度画像データは，記憶装置１１５に送信され，一時記憶される（Ｓ９０３）。なお，記憶装置１１５に記憶される際に，記憶領域のどの位置に記憶されたかを示すため，例えばコンテナ又は圧縮ＧＯＰ５１１ごとに，データ開始と終わりのアドレスが割当てられる。
【０１４０】
次に，記録媒体１３１に記録する場合（Ｓ９０５），記憶装置１１５に記憶された順番に従って，記憶装置１１５は“７Ｆ”からなる３２ｋＢｙｔｅのダミーデータ５１２を各圧縮ＧＯＰ５１１に追加するとともに（Ｓ９０６），例えば圧縮ＧＯＰ５１１を含んだコンテナ単位等でダミー入り低解像度データを記録部１１６に出力する。
【０１４１】
記録部１１６は，ダミー入り低解像度データの入力を受けると，記録媒体１３１に高解像度データとともにダミー入り低解像度データを記録していく（Ｓ９０７）。なお，記録媒体１３１に記録するか否かは，例えば，ユーザが入力部２０５を操作することで決定され，その指示はコントロール部２０３から記憶装置１１５に指示されるが，かかる例に限定されない。
【０１４２】
一方，記録媒体１３１に記録しない場合（Ｓ９０５），記憶装置１１５は，データ出力端子２１１からネットワーク１０５を介して，情報処理装置１０４など外部の装置に圧縮低解像度データを転送する（Ｓ９０９）。以上で，一連のダミー入り低解像度データを記録する処理が終了する。
【０１４３】
なお，本実施の形態にかかるダミー入り低解像度データ記録処理では，記録媒体１３１に記録する処理（Ｓ９０７）又は外部の装置に転送する処理（Ｓ９０９）のどちらか一方の処理が実行される場合を例に挙げて説明したが，かかる例に限定されず，例えば，ダミー入り低解像度データ記録処理では，ダミー入り低解像度データを記録する処理と圧縮低解像度データを転送する処理とを並行して行う場合，または上記記録処理終了後に転送処理を行う場合等でも実施可能である。
【０１４４】
（ダミー入り低解像度データ再生処理について）
次に，本実施の形態にかかるダミー入り低解像度データを再生する再生処理について，先ほどの図８を参照しながら，説明する。なお，上記再生処理は，再生装置１０２による場合を例に挙げて説明するが，記録再生装置１０３の場合であっても実質同様な処理によって可能である。
【０１４５】
まず，記録媒体１３１に記録されたダミー入り低解像度データが再生部１１７によって読み取られると，ダミー入り低解像度データのうち画像アイテムに構成される１又は２個以上のダミー付きＧＯＰ１５１は，順々に低解像度伸張部１７３に送信される。
【０１４６】
なお，ダミー付きＧＯＰ１５１には通常のＧＯＰ１４４とは異なり，ダミーデータ５１２が含まれているが，例えば“７Ｆ”等のバイト列からなるダミーデータ５１２は，ＭＰＥＧ４で許されているコードであって，通常のＧＯＰ１４４と何ら変わらずに問題なく低解像度伸張部１７３はデコードすることができる。
【０１４７】
したがって，低解像度伸張部１７３によってデコードされた画像データは，再生画像エンコード部１１９，ビデオ出力端子２００を経由してディスプレイ装置２０４上に再生される。
【０１４８】
ダミーデータ５１２が含まれても通常再生と変わらずに処理できるのは，上記の他にも図８に示す画像アイテム１４２やコンテナ１３３のサイズや構造が，低解像度データに構成される画像アイテム１４２やコンテナ１３３と全く変わらないため，低解像度データのデータレート値とダミー入り低解像度データのデータレート値が同じであるのも理由の一つである。
【０１４９】
したがって，ダミー入り低解像度データをそのまま，図７のステップＳ７０９で説明したように，データ出力端子２１１からネットワーク１０５を介して外部の装置に転送することも可能である。
【０１５０】
（再生時における圧縮低解像度データ転送処理について）
次に，図１０及び図１１を参照しながら，本実施の形態にかかる再生時における圧縮低解像度データを転送する転送処理について説明する。図１０は，本実施の形態にかかる圧縮低解像度データを転送する処理の概略を示す説明図であり，図１１は，本実施の形態にかかる圧縮低解像度データを転送する処理の概略を示すフローチャートである。なお，かかる転送処理については再生装置１０２による場合を例に挙げて説明するが，記録再生装置１０３の場合であっても実質的に同様な処理によって可能である。
【０１５１】
まず，図１１に示すように，再生装置１０２の再生部１１７は記録媒体１３１に記録されたダミー入り低解像度データを読み取る（Ｓ１１０１）。そして，再生部１１７は，読み取ったダミー入り低解像度データを記憶装置１１５に出力する。
【０１５２】
再生部１１７から送られたダミー入り低解像度データは，記憶装置１１５に一旦記憶されると，圧縮低解像度データを転生する場合（Ｓ１１０３），図１０（ａ）に示すように，コントロール部２０３から指示を受けて記憶装置１１５はダミー付きＧＯＰ１５１のうちダミーデータ５１２を読み飛ばして，画像部分である圧縮ＧＯＰ５１１だけを読み取る（Ｓ１１０５）。
【０１５３】
記憶装置１１５は，コントロール部２０３から圧縮ＧＯＰ５１１の読み取りを指示されると，その指示内容には，例えば画像アイテム中の圧縮ＧＯＰ５１１の開始アドレス（例えば，図１０（ａ）に示すアドレスａなど。）と終了アドレス（例えば，図１０（ａ）に示すアドレスｂなど。）が記載されており，そのアドレスを基にして記憶領域に記憶された圧縮ＧＯＰ５１１を読み取る。
【０１５４】
なお，図１０（ｂ）に示すように，記憶装置１１５は，圧縮低解像度データのうち，ダミーデータ５１２を除くシステムアイテム，音声アイテム，ヘッダ，フッタ等についても読み取る。
【０１５５】
したがって，記憶装置１１５は，記憶領域のアドレス操作で圧縮ＧＯＰ５１１の画像データ部分のみを読み出し（図１０（ａ）に示す実線），ダミーデータ５１２部分を読まずに飛ばせば（図１０（ａ）に示す点線），図１０（ｂ）に示す圧縮ＧＯＰ５１１のデータ列が得られ，これらをまとめるとＧＯＰ１４４の３８４ｋＢｙｔｅの半分である１９２ｋＢｙｔｅの画像アイテムが得られる。
【０１５６】
記憶装置１１５による上記アドレス操作は圧縮ＧＯＰ５１１のデータを読み出す場合にだけ行うため，記録媒体１３１からダミー入り低解像度データを読み出す速度を落とさずに行うことができる。
【０１５７】
次に，記憶装置１１５が圧縮ＧＯＰ５１１を読み出すと（Ｓ１１０５），記憶装置１１５は，最初はヘッダを，次に読み出した圧縮ＧＯＰ５１１を有するコンテナを順々に，最後はフッタを，データ出力端子２１１からネットワーク１０５を介して情報処理装置１０４等の外部の装置に転送する（Ｓ１１０７）。
【０１５８】
上記ステップＳ１１０１〜Ｓ１１０７の処理を記録媒体１３１に記録されたダミー入り低解像度データに構成されるコンテナ全てに対して行うと，情報処理装置１０４等の外部の装置に圧縮低解像度データを転送することができる。
【０１５９】
なお，圧縮低解像度データの画像部分のデータレート値は０．７５Ｍｂｐｓと，低解像度データの場合（１．５Ｍｂｐｓ）の半分であり，全体と比較しても圧縮低解像度データのデータレート値は１．２５Ｍｂｐｓであり，低解像度データのデータレート値よりも大幅に低減することができる。
【０１６０】
つまり，低解像度データをさらに圧縮した圧縮低解像度データを，例えば，ＭＸＦ等のファイルとしてデータ出力端子２１１から転送することで，ネットワーク１０５に対する負荷軽減することができるとともに，再生装置１０２に対する転送処理の負荷を軽減することができる。
【０１６１】
一方，圧縮低解像度データを転送しない場合（Ｓ１１０３），再生装置１０２に備わる記憶装置１１５は，ダミー入り低解像度データのうち画像・音声部分を低解像度伸張部１７３及び低解像度音声信号伸張部１９２などに出力することで，記録媒体１３１に記録されたダミー入り低解像度データを再生する（Ｓ１１０９）。
【０１６２】
なお，本実施の形態にかかる再生時における圧縮低解像度データ転送処理では，圧縮低解像度データを転送する処理（Ｓ１１０７）又はダミー入り低解像度データ等の映像データを再生する処理（Ｓ１１０９）のどちらか一方が実行される場合を例に挙げて説明したが，かかる例に限定されず，例えば，圧縮低解像度データ転送処理では，圧縮低解像度データを転送する処理と再生処理とを並行して行う場合，または上記再生処理終了後に転送処理を行う場合（その逆でもよい）等でも実施可能である。
【０１６３】
また，本実施の形態にかかる再生時における圧縮低解像度データ転送処理では，圧縮低解像度データを転送する代わりに，ダミー入り低解像度データを転送する転送処理が実行されてもよい。
【０１６４】
なお，ダミー入り低解像度データを転送する処理，圧縮低解像度データを転送する処理，または再生処理のうち少なくとも一つの処理の実行をコントローラ部２０３から指示するのは，例えば，ユーザによる入力部２０５の操作によって指示内容が決定され，その指示はコントロール部２０３から記憶装置１１５に指示されるが，かかる例に限定されない。
【０１６５】
また，本実施の形態にかかる圧縮低解像度データ転送処理時の映像データを再生する再生速度は，通常再生速度の場合を例に挙げて説明したが，かかる例に限定されず，例えば，ユーザから入力部２０５を介してコントロール部２０３に指示を受付けて，任意に再生速度を調整し，変更することができる。
【０１６６】
以上で，本実施の形態にかかる映像処理システムについて説明が終了する。かかる映像処理システムにより，以下に示すような優れた効果がある。
（１）低解像度データのデータレート値は，例えば，標準で２．０Ｍｂｐｓであるが，それよりも低いデータレート値に設定することができる。
（２）データレート値を下げた分，ダミーデータを付加することで，ダミー入り低解像度データと低解像度データとは再生／記録等の互換性を維持することができる。
（３）低解像度データと同様に，ダミー入り低解像度データを用いて，高速再生（高速検索（高速サーチ））機能や，サムネイル表示機能など，特段の変更なく低解像度データを処理する場合と同じ処理内容で実行することができる。
（４）外部の装置に転送する場合，ダミーデータ５１２を除けば，低解像度データを転送するよりもより一層データ量が少なく済み，転送時間の大幅な短縮，ネットワーク１０５に対する負荷軽減，転送処理の負荷軽減を達成することができる。
（５）また，圧縮低解像度データは低解像度データよりもデータ量が少ないため，転送先の情報処理装置１０４など外部装置に備わる記憶手段（ハードディスクドライブ（ＨＤＤ）等）に記憶できる映像時間を延ばすことができ，記憶手段の記憶領域を効率的に活用することができる。
【０１６７】
なお，上述した一連の処理は，専用のハードウェアにより行うこともできるし，ソフトウェアにより行うこともできる。一連の処理をソフトウェアによって行う場合には，そのソフトウェアを構成するプログラムが，汎用のコンピュータやマイクロコンピュータ等の情報処理装置にインストールされ，上記情報処理装置を記録装置１０１，再生装置１０２，または記録再生装置１０３等の映像処理装置として機能させる。
【０１６８】
プログラムは，コンピュータに内蔵されている記録媒体としてのハードディスクドライブ（ＨＤＤ）や，ＲＯＭ，ＥＥＰＲＯＭなどに予め記録しておくことができる。
【０１６９】
あるいはまた，プログラムは，ハードディスクドライブに限らず，フレキシブルディスク，ＣＤ−ＲＯＭ（Ｃｏｍｐａｃｔ  Ｄｉｓｃ  Ｒｅａｄ  Ｏｎｌｙ  Ｍｅｍｏｒｙ），ＭＯ（Ｍａｇｎｅｔｏ  Ｏｐｔｉｃａｌ）ディスク，ＤＶＤ（Ｄｉｇｉｔａｌ  Ｖｅｒｓａｔｉｌｅ  Ｄｉｓｃ），磁気ディスク，半導体メモリなどのリムーバブル記録媒体に，一時的あるいは永続的に格納（記録）しておくことができる。このようなリムーバブル記録媒体は，いわゆるパッケージソフトウエアとして提供することができる。
【０１７０】
なお，プログラムは，上述したようなリムーバブル記録媒体からコンピュータにインストールする他，ダウンロードサイトから，ディジタル衛星放送用の人工衛星を介して，コンピュータに無線で転送したり，ＬＡＮ（Ｌｏｃａｌ  Ａｒｅａ  Ｎｅｔｗｏｒｋ），インターネットといったネットワークを介して，コンピュータに有線で転送し，コンピュータでは，そのようにして転送されてくるプログラムを，受信し，内蔵するハードディスクドライブ等にインストールすることができる。
【０１７１】
ここで，本明細書において，コンピュータに各種の処理を行わせるためのプログラムを記述する処理ステップは，必ずしもフローチャートとして記載された順序に沿って時系列に処理する必要はなく，並列的あるいは個別に実行される処理（例えば，並列処理あるいはオブジェクトによる処理）も含むものである。
【０１７２】
また，上記プログラムは，１のコンピュータにより処理されるものであっても良いし，複数のコンピュータによって処理が分散して実行されるものであっても良い。
【０１７３】
以上，添付図面を参照しながら本発明の好適な実施形態について説明したが，本発明はかかる例に限定されない。当業者であれば，特許請求の範囲に記載された技術的思想の範疇内において各種の変更例または修正例を想定し得ることは明らかであり，それらについても当然に本発明の技術的範囲に属するものと了解される。
【０１７４】
上記実施形態においては，圧縮低解像度データの画像におけるデータレート値は，低解像度データの画像におけるデータレート値の半分である場合を例にあげて説明したが，低解像度データのデータレート値よりも低い関係であれば，本発明はかかる例に限定されない。例えば，圧縮低解像度データの画像におけるデータレート値を低解像度データのデータレート値の１／３等にすることができる。
【０１７５】
また，上記実施形態においては，記憶装置１１５は，単体のメモリから構成される場合を例に挙げて説明したが，かかる例に限定されず，例えば，記憶装置１１５は，別体としてメモリ等の記憶装置１１５がさらに１または２以上備わる場合でもよい。
【０１７６】
また，上記実施形態においては，再生時において圧縮低解像度データ等のデータを外部の装置に転送する場合，再生速度が通常再生の場合を例に挙げて説明したが，かかる例に限定されず，例えば，再生速度は，高速検索時の速度（高速再生の速度）など再生速度を自由に調整可能である場合でも実施可能である。
【０１７７】
また，上記実施形態においては，低解像度データのうち画像部分のデータレート値を下げて，ダミーデータ５１２を詰め込む場合を例に挙げて説明したが，かかる例に限定されず，例えば，高解像度データのうち画像部分のデータレート値を下げてダミーデータ５１２を詰め込む場合，高解像度データのうち音声部分（高解像度音声データ）のデータレート値を下げてダミーデータ５１２を詰め込む場合，高解像度データのうち画像及び音声部分のデータレート値を下げてダミーデータ５１２を詰め込む場合，高解像度データ及び低解像度データのうち画像部分のデータレート値を下げダミーデータ５１２を詰め込む場合，高解像度データ及び低解像度データのうち音声部分のデータレート値を下げダミーデータ５１２を詰め込む場合，高解像度データ及び低解像度データの画像及び音声部分のデータレート値を下げダミーデータ５１２を詰め込む場合等でも実施可能である。
【０１７８】
また，上記実施形態においては，低解像度データのうち画像部分のデータレート値を下げて，ダミーデータを詰め込む場合を例に挙げて説明したが，かかる例に限定されず，例えば，低解像度データのうち音声部分（低解像度音声データ）のデータレート値を下げて，ダミーデータを詰め込む場合，低解像度データの画像及び音声部分のデータレート値を下げて，ダミーデータを詰め込む場合等でも実施可能である。
【０１７９】
上記実施形態においては，記録装置１０１に備わる高解像度圧縮部１３０，低解像度圧縮部１４１，高解像度音声信号プロセッサ１８１，および低解像度音声信号圧縮部１９１はハードウェアからなる場合を例にあげて説明したが，本発明はかかる例に限定されない。例えば，上記各部は，１又は２以上のモジュールまたはコンポーネントから構成されるプログラムの場合であってもよい。
【０１８０】
また，上記実施形態においては，再生装置１０２に備わる高解像度伸張部１７２，低解像度伸張部１７３，高解像度音声信号プロセッサ１８１，および低解像度音声信号伸張部１９２はハードウェアからなる場合を例にあげて説明したが，本発明はかかる例に限定されない。例えば，上記各部は，１又は２以上のモジュールまたはコンポーネントから構成されるプログラムの場合であってもよい。
【０１８１】
また，上記実施形態においては，記録再生装置１０３に備わる高解像度圧縮伸張部１７５，低解像度圧縮伸張部１７７，高解像度音声信号プロセッサ１８１，および低解像度音声信号圧縮伸張部１９５はハードウェアからなる場合を例にあげて説明したが，本発明はかかる例に限定されない。例えば，上記各部は，１又は２以上のモジュールまたはコンポーネントから構成されるプログラムの場合であってもよい。
【図面の簡単な説明】
【０１８２】
【図１】本実施の形態にかかる映像処理システムの概略的な構成の一例を示す説明図である。
【図２】本実施の形態にかかる記録装置の概略的な構成の一例を示すブロック図である。
【図３】本実施の形態にかかる再生装置の概略的な構成の一例を示すブロック図である。
【図４】本実施の形態にかかる記録再生装置の概略的な構成の一例を示すブロック図である。
【図５】本実施の形態にかかる記録媒体に記録されるデータ構造の概略を示す説明図である。
【図６】本実施の形態にかかる低解像度データの概略的な構成の一例を示す説明図である。
【図７】本実施の形態にかかる低解像度データ記録処理の概略を示すフローチャートである。
【図８】本実施の形態にかかるダミー入り低解像度データの概略的な構成を示す説明図である。
【図９】本実施の形態にかかるダミー入り低解像度データ記録処理の概略を示すフローチャートである。
【図１０】本実施の形態にかかる圧縮低解像度データを転送する処理の概略を示す説明図である。
【図１１】本実施の形態にかかる圧縮低解像度データを転送する処理の概略を示すフローチャートである。
【符号の説明】
【０１８３】
１００      映像処理システム
１０１      記録装置
１０２      再生装置
１０３      記録再生装置
１０５      ネットワーク
１１５      記憶装置
１３１      記録媒体
５１１      圧縮ＧＯＰ
５１２      ダミーデータ
【図１】
2006287578.tif 000003
【図２】
2006287578.tif 000004
【図３】
2006287578.tif 000005
【図４】
2006287578.tif 000006
【図５】
2006287578.tif 000007
【図６】
2006287578.tif 000008
【図７】
2006287578.tif 000009
【図８】
2006287578.tif 000010
【図９】
2006287578.tif 000011
【図１０】
2006287578.tif 000012
【図１１】
2006287578.tif 000013